(57)【要約】      （修正有）【課題】下側プレートとボルトが分割可能なため、嵩張らず、コンパクトに収納でき、また、束材を構成する部品点数を削減でき、在庫管理が容易で、更に、金属製の部材のみによって構成されたものと比べて柔軟性を有する束材、及び、束材プレートを提供する。【解決手段】束材１は、一方側に基本的に平坦な形状の支持座面１５が形成された板状部１２と、板状部１２の他方側の中央において、板状部１２の厚さ方向延長側へ膨らむように形成された膨出部１３とによって構成され、板状部１２の中央には、支持座面１５から内側へ７ｍｍ以上の深さで陥没し、内側にナット１９Ａ〜Ｄを装着した場合において、ナットホルダとして機能する座ぐり１６が形成されるとともに、厚さ方向へ貫通するボルト挿通孔１４が形成されている。【選択図】図５
0003197977.tif 000002
【実用新案登録請求の範囲】
【請求項１】
束材を構成するためのプラスチック製の束材プレートであって、
基本的に平坦な形状の支持座面が一方側に形成された板状部と、この板状部の他方側の中央において、板状部の厚さ方向延長側へ膨らむように形成された膨出部とによって構成され、
板状部の中央には、支持座面から内側へ７ｍｍ以上の深さで陥没し、内側にナット或いはボルトヘッドを装着した場合において、ナット或いはボルトヘッドを回転させずに保持するナットホルダとして機能する座ぐりが形成されるとともに、束材プレートの厚さ方向へ貫通するボルト挿通孔が形成されていることを特徴とする束材プレート。
【請求項２】
ＰＰ系、或いは、ＰＥ系のプラスチックによって形成されていることを特徴とする、請求項１に記載の束材プレート。
【請求項３】
膨出部の中央にも、内側へ陥没した座ぐりが形成されていることを特徴とする、請求項１又は請求項２に記載の束材プレート。
【請求項４】
請求項１〜３のいずれかに記載の二つの束材プレートを、一つのボルトに取り付け、ナットを締め付けて固定したことを特徴とする束材。
【請求項５】
ボルトとして、端部にボルトヘッドが形成されていないものが用いられていることを特徴とする、請求項４に記載の束材。
【請求項６】
ボルトとして、一方の端部にボルトヘッドが形成されているものが用いられていることを特徴とする、請求項４に記載の束材。
【考案の詳細な説明】
【技術分野】
【０００１】
本考案は、屋外デッキや室内床を構築する際に、根太材又は大引材を支持するために使用される束材プレート及び束材に関する。
【背景技術】
【０００２】
従来より、一定の範囲内で簡単にレベル調整を行うことができるような束材が存在する。レベル調整が可能な束材としては、例えば、設置面上に載置される下側束材プレートの中央から上方へ向かって立設させたボルトの軸部に、上側束材プレートを装着し、この上側束材プレートを、任意の高さ位置においてナットで締め付けて固定するように構成されたもの等が知られている。
【先行技術文献】
【特許文献】
【０００３】
【特許文献１】特開平８−２０９８３３号公報
【特許文献２】特開平８−２４６５９５号公報
【特許文献３】特開平１０−２８０６００号公報
【特許文献４】特開２０１４−３４８２９号公報
【考案の概要】
【考案が解決しようとする課題】
【０００４】
上述したようなレベル調整が可能な従来の束材は、すべての部品が金属製であるものが多く、全く柔軟性を有していないという問題がある。また、設置面上に自立させるための下側プレートに対し、ボルトが固定されているものが多く、保管時、梱包時において嵩張ってしまい、包材内にコンパクトに収納することができないという問題がある。
【０００５】
本考案は、上記のような従来技術における問題を解決しようとするものであって、下側プレートとボルトが分割可能なため、嵩張らず、コンパクトに収納でき、また、束材を構成する部品点数を削減でき、在庫管理が容易で、更に、金属製の部材のみによって構成されたものと比べて柔軟性（クッション性）を有する束材、及び、束材プレートの提供を目的とする。
【課題を解決するための手段】
【０００６】
本考案に係る束材プレートは、束材を構成するためのものであって、プラスチック製であり、一方側に基本的に平坦な形状の支持座面が形成された板状部と、この板状部の他方側（支持座面とは反対側）の中央において、板状部の厚さ方向延長側へ膨らむように形成された膨出部とによって構成され、板状部の中央には、支持座面から内側へ７ｍｍ以上の深さで陥没し、内側にナット或いはボルトヘッドを装着した場合において、ナット或いはボルトヘッドを回転させずに保持するナットホルダとして機能する座ぐりが形成されるとともに、束材プレートの厚さ方向へ貫通するボルト挿通孔が形成されていることを特徴としている。
【０００７】
尚、この束材プレートは、ＰＰ系、或いは、ＰＥ系のプラスチックによって形成されていることが好ましく、また、膨出部の中央にも、内側へ陥没した座ぐりが形成されていることが好ましい。
【０００８】
本考案に係る束材は、上記のような構成に係る二つの束材プレートを、一つのボルトに取り付け、ナットを締め付けて固定したことを特徴としている。尚、ボルトとしては、端部にボルトヘッドが形成されていないもの（いわゆる「全ねじ」）を用いることもできるし、また、一方の端部にボルトヘッドが形成されているものを用いることもできる。
【考案の効果】
【０００９】
本考案に係る束材プレートは、束材を構成する上側の束材プレート（根太材等を支持する要素）として使用できるほか、下側の束材プレート（設置面上において束材を自立させるための要素）としても利用することができ、その結果、束材を構成する部品点数を削減でき、在庫管理が容易である。また、十分な強度を有するＰＰ系、或いは、ＰＥ系のプラスチックによって形成されているため、この束材プレートを用いて束材を構成した場合、金属製の部材のみによって構成された束材と比べて柔軟性（クッション性）を得ることができ、この束材を用いて屋外デッキや室内床を構築した場合、床荷重、歩行時或いは走行時の床衝撃に対して、程良い足受け感覚を得ることができると同時に、荷重、衝撃力を床全体で柔軟に分散することができる。
【００１０】
また、本考案に係る束材は、下側束材プレートとボルトとが分割可能であるため、保管時、梱包時において嵩張らず、包材内にコンパクトに収納することができ、管理コスト、移送コスト等を縮減することができる。
【図面の簡単な説明】
【００１１】
【図１】図１は、本考案の第一実施形態に係る束材プレート１１の斜視図である。
【図２】図２は、本考案の第一実施形態に係る束材プレート１１の斜視図である。
【図３】図３は、本考案の第一実施形態に係る束材プレート１１の側面図である。
【図４】図４は、本考案の第一実施形態に係る束材プレート１１の断面図である。
【図５】図５は、本考案の第二実施形態に係る束材１を示す図である。
【図６】図６は、本考案の第二実施形態に係る束材１を示す図である。
【考案を実施するための形態】
【００１２】
以下、添付図面に沿って本考案の実施形態について説明する。本考案は、上下二つの束材プレートと、ボルトと、ナットとからなる束材として実施できるほか、当該束材を構成する束材プレートとしても実施することができる。
【００１３】
図１及び図２は、本考案の第一実施形態に係る束材プレート１１の斜視図であり、図３はその側面図、図４はその断面図である。本実施形態に係る束材プレート１１は、プラスチック製（ＰＰ系、或いは、ＰＥ系のプラスチック製）で、図１〜４に示すように、所定の厚さ寸法（好ましくは７ｍｍ以上）（本実施形態においては１０ｍｍ）を有する矩形状の板状部１２と、板状部１２の一方側の中央において、板状部１２の厚さ方向延長側へ膨らむように形成された膨出部１３とによって構成され、板状部１２の他方側（膨出部１３とは反対側）には、基本的に平坦な形状の支持座面１５が形成されている。
【００１４】
尚、ここに言う「基本的に平坦な形状」とは、全体として平坦で、基準面から外側へ突出するような部位が無く、支持対象物の平坦な面を当接させた場合において、当該支持対象物の荷重を面全体で均一に分散して支持できるような形状を意味し、基準面から内側へ凹んだ部分が形成されることを妨げない趣旨である。
【００１５】
板状部１２の中央には、支持座面１５から内側へ所定の深さ（本実施形態においては１０ｍｍ）で陥没した座ぐり１６が形成されている。また、膨出部１３の中央にも、内側へ所定の深さで陥没した座ぐり１７が形成されている。これらの座ぐり１６，１７は、いずれも周壁が六角形に形成されており、内側に六角形のナット（或いはボルトヘッド）を装着した場合において、ナット（或いはボルトヘッド）を回転させずに保持するナットホルダとして機能する。
【００１６】
そして、この束材プレート１１の中央には、支持座面１５側の座ぐり１６の底面から、膨出部１３側の座ぐり１７の底面まで、束材プレート１１の厚さ方向へ貫通するボルト挿通孔１４が形成されている。
【００１７】
図５は、本考案の第二実施形態に係る束材１（その上に載置した根太材２１を下側から支持した状態）を示す図である。図示されているように、本実施形態の束材１は、二つの束材プレート１１（上側束材プレート１１Ａ，下側束材プレート１１Ｂ）と、一つのボルト１８と、四つのナット１９（１９Ａ〜１９Ｄ）と、二つのワッシャー２０（２０Ａ，２０Ｂ）とによって構成されている。
【００１８】
ここで使用されている上側束材プレート１１Ａと下側束材プレート１１Ｂは、図１〜４に示した本考案の第一実施形態に係る束材プレート１１と同一のものである。つまり、第一本実施形態の束材プレート１１は、本実施形態に係る束材１を構成する上方側の束材プレートとしても、また、下方側の束材プレートとしても（つまり、共用部品として）使用することができる。
【００１９】
ボルト１８は、金属製の棒状部材の外周にネジ山を形成してなるものであり、本実施形態においては、端部にボルトヘッドが形成されていないもの（いわゆる「全ねじ」）が用いられているが、一方の端部に六角形のボルトヘッドが形成されているものを用いることもできる。ワッシャー２０は、座ぐり１７よりも大きな直径のものを使用する。
【００２０】
この束材１の組み立ては、例えば次のような手順で行う。まず、ボルト１８にナット１９Ｂ，１９Ｃを装着し、適当な位置に配置しておく。次に、上側束材プレート１１Ａの支持座面１５側の座ぐり１６内にナット１９Ａを嵌め込んだ状態で、ボルト１８の先端（上端）を、上側束材プレート１１Ａのボルト挿通孔１４内へ膨出部１３側から挿入し、同様に、下側束材プレート１１Ｂの支持座面１５側の座ぐり１６内にナット１９Ｄを嵌め込んだ状態で、ボルト１８の先端（下端）を、下側束材プレート１１Ｂのボルト挿通孔１４内へ膨出部１３側から挿入する。
【００２１】
尚このとき、予めボルト１８に装着しておいたナット１９Ｂ，１９Ｃが、上側束材プレート１１Ａ、及び、下側束材プレート１１Ｂの各座ぐり１７，１７内に進入しないように、ナット１９Ｂと上側束材プレート１１Ａとの間、及び、ナット１９Ｃと下側束材プレート１１Ｂとの間に、各座ぐり１７，１７よりも大きな直径のワッシャー２０Ａ，２０Ｂを予め装着しておく。
【００２２】
そして、上側束材プレート１１Ａ、及び、下側束材プレート１１Ｂをそれぞれ所定方向に回転させ、ボルト１８の両端（上端及び下端）と、各座ぐり１６，１６内において回転不能な状態で保持されている各ナット１９Ａ，１９Ｄとを螺着させる。このとき、下側束材プレート１１Ｂの側においては、ボルト１８の先端（下端）が、図５に示すように、下側束材プレート１１Ｂの支持座面１５よりも外側（下方）へ突出しないようにする。
【００２３】
この状態で、ボルト１８に予め装着しておいたナット１９Ｂ，１９Ｃをそれぞれ締め付けると、上側束材プレート１１Ａが、座ぐり１７の開口周縁部１７ａに当接されるワッシャー２０Ａとナット１９Ａの間に挟持されるとともに、下側束材プレート１１Ｂが、座ぐり１７の開口周縁部１７ａに当接されるワッシャー２０Ｂとナット１９Ｄの間に挟持され、ボルト１８の両端部に対して上側束材プレート１１Ａ、及び、下側束材プレート１１Ｂがそれぞれ固定された状態となる。
【００２４】
尚、ボルトとして、一方の端部に六角形のボルトヘッドが形成されているものを用いる場合には、ボルトヘッドが形成されていない側の先端部を、下側束材プレート１１Ｂの支持座面１５側（図５において下方側）からボルト挿通孔１４内に差し込み、ボルトヘッドを座ぐり１６内に嵌め込み、膨出部１３側の座ぐり１７の開口周縁部１７ａにワッシャー２０Ｂを当接させて、その反対側に配置したナット１９Ｃを締め付けて、下側束材プレート１１Ｂとボルト（ボルトヘッド付き）とを固定する。
【００２５】
本実施形態の束材１を使用する場合、下側束材プレート１１Ｂの支持座面１５を設置面に当接させて配置し、上側束材プレート１１Ａのレベル調整（高さ位置の調整）を行った後、図５に示すように、上側束材プレート１１Ａの支持座面１５上に根太材２１を載置し、固定する（例えば、図５に示すようにビスを打ち込んで、或いは、他の方法により固定する）。
【００２６】
上側束材プレート１１Ａのレベル調整は、ナット１９Ｂを緩めた状態で、上側束材プレート１１Ａをいずれかの方向へ必要な分だけ回転させることによって行う。支持座面１５側の座ぐり１６内に嵌まり込んでいるナット１９Ａとボルト１８とが螺合しているため、上側束材プレート１１Ａを回転させると、その回転量に応じて上側束材プレート１１Ａが上昇或いは下降することになる。従って、上側束材プレート１１Ａの回転量を調整することによってレベル調整が可能となる。そして、上側束材プレート１１Ａの高さ位置が適正レベルにあることが確認されたら、ナット１９Ｂを締め付けて固定する。
【００２７】
尚、本実施形態においては、図５において実線で示す上限位置から、破線で示す下限位置までの範囲で、上側束材プレート１１Ａのレベル調整が可能である。この点について具体的に説明すると、本実施形態においては、根太材２１として、図５に示すようなハット型の鋼材或いはアルミ型材（鋼板材を折り曲げることにより、或いは、アルミ原料を型から押し出すことによって形成した、水平な天端部２１ａと、二つの垂直な側部２１ｂ，２１ｂと、両側部２１ｂ，２１ｂの下端からそれぞれ外側水平方向へ突出する二つの下側フランジ部２１ｃ，２１ｃとによって構成される構造材）が使用されているところ、この根太材２１は、下方側より内側空間へのボルト１８の進入が可能な構造となっているのため、この根太材２１を上側束材プレート１１Ａの支持座面１５上に載置して固定した場合、図５において実線で示すように、ボルト１８の上端が支持座面１５よりも下方に位置している状態から、上側束材プレート１１Ａを下降させることによって相対的に支持座面１５よりも上方へボルト１８を突出させた場合、根太材２１の内部空間への進入が許容され、最終的にボルト１８の上端が根太材２１の天端部２１ａの裏面に当接する位置（図５において破線で示す位置）まで、上側束材プレート１１Ａを変位させることができ、その範囲内において、上側束材プレート１１Ａのレベルを自在に調整することができる。
【００２８】
尚、この束材１とともに使用される根太材２１としては、図５に示した形状のものには限定されず、支持座面１５よりも上方へ突出するボルト１８の進入をある程度許容できるものであれば、どのような構造のものでも用いることができる。例えば、金属製の構造材だけでなく、木材（角材、ツーバイフォー材）でも、ボルト１８の進入を許容できる位置に貫通孔或いは凹部が形成されているものであれば、問題なく適用することができる。
【００２９】
また、図５においては、ナット１９Ａを上側束材プレート１１Ａの座ぐり１６内に嵌め込んだ状態でボルト１８と螺着させることにより、ボルト１８に対して上側束材プレート１１Ａを固定する例を示したが、図６に示すように、ナット１９Ｂを上側束材プレート１１Ａの膨出部１３側の座ぐり１７内嵌め込んだ状態で、ボルト１８と螺着させて、上側束材プレート１１Ａを固定することもできる。この場合、上側束材プレート１１Ａを適宜回転させることによってレベルを調整し、位置決めをした後で、支持座面１５側にワッシャー２０Ａを配置し、その外側からナット１９Ａを締め付けて、上側束材プレート１１Ａを固定する。
【００３０】
このように、膨出部１３側の座ぐり１７内にナット１９Ｂを嵌め込んで上側束材プレート１１Ａをボルト１８に対して固定した場合、図６に示すように、極めて低い位置（設置面から僅かに上方の位置）において根太材２１を支持する必要があるような場合においても、この束材１を適用することが可能となる。
【００３１】
本実施形態に係る束材１は、以上に説明したような構成に係るものであるところ、次のような効果を期待することができる。まず、この束材１を構成する上側束材プレート１１Ａと下側束材プレート１１Ｂとを、共通の部品（図１〜４に示す束材プレート１１）によって賄うことができ、その結果、部品点数を削減でき、在庫管理が容易である。また、下側束材プレート１１Ｂとボルト１８とが分割可能であり、その結果、保管時、梱包時において嵩張らず、包材内にコンパクトに収納することができ、管理コスト、移送コスト等を縮減することができる。
【００３２】
また、上側束材プレート１１Ａと下側束材プレート１１Ｂのいずれも、十分な強度を有するＰＰ系、或いは、ＰＥ系のプラスチックによって形成されているため、金属製の部材のみによって構成された束材と比べて柔軟性（クッション性）を有しており、この束材１を用いて屋外デッキや室内床を構築した場合、床荷重、歩行時或いは走行時の床衝撃に対して、程良い足受け感覚を得ることができると同時に、荷重、衝撃力を床全体で柔軟に分散することができる、という利点を有している。
【００３３】
尚、上側束材プレート１１Ａと下側束材プレート１１Ｂとを、共通の部品（図１〜４に示す束材プレート１１）によって賄うことができるのは、図１、図４、図５に示すように、束材プレート１１の支持座面１５側に、内側へ１０ｍｍの深さで陥没した座ぐり１６が形成されているためである。
【００３４】
従来の上側束材プレートは、ボルトに対して固定するためのナットが、支持座面の上方側に装着されるように構成されたものが多く、そのような上側束材プレートを、下側束材プレートとして使用すべく天地を逆転させた場合、支持座面からナットが下方へ突出した状態となってしまい、平坦な設置面上において安定的に自立させることができないが、本考案に係る束材プレート１１においては、上述の通り束材プレート１１の支持座面１５側に、内側へ１０ｍｍの深さで陥没した座ぐり１６が形成されているため、厚さが１０ｍｍ以下のナットを使用した場合、ナットを全体的に支持座面１５よりも内側に収める（支持座面１５から外側へ突出しない状態とする）ことができ、このため、支持座面１５を下向きにして設置面上に載置した場合でも、平坦な設置面上において安定的に自立させることができる。
【００３５】
また、上記第一実施形態、第二実施形態のいずれにおいても、座ぐり１６，１７、及び、ナット１９は六角形となっているが、必ずしも六角形には限定されず、座ぐり１６，１７の形状が、ナット１９の形状と対応しており、座ぐり１６，１７内にナット１９を嵌め込んだ際に、ナット１９を回転不能な状態で保持することができれば、正方形でも或いは他の形状でもよい。また、束材プレート１１は、平面形状が矩形状のものには限定されず、円形或いは他の形状でもよい。
【符号の説明】
【００３６】
１：束材、
１１：束材プレート、
１１Ａ：上側束材プレート、
１１Ｂ：下側束材プレート、
１２：板状部、
１３：膨出部、
１４：ボルト挿通孔、
１５：支持座面、
１６，１７：座ぐり、
１７ａ：開口周縁部、
１８：ボルト、
１９，１９Ａ〜１９Ｄ：ナット、
２０，２０Ａ，２０Ｂ：ワッシャー、
２１：根太材、
２１ａ：天端部、
２１ｂ：側部、
２１ｃ：下側フランジ部
【図１】
0003197977.tif 000003
【図２】
0003197977.tif 000004
【図３】
0003197977.tif 000005
【図４】
0003197977.tif 000006
【図５】
0003197977.tif 000007
【図６】
0003197977.tif 000008